(57)【要約】 【課題】  本考案は、衣服をハンガーにかけた状態でハンガーをコンパクトにすることができると共に衣服の皺やよじれをなくした状態で綺麗に鞄やバック等に収納することのできるものであって、その収納もより小さい収納範囲に収納できることを可能とする衣服用ハンガーの提供を課題とする。【解決手段】  係る課題を解決するため、肩体と肩先部とを有するハンガーであって、肩体と肩先部とをヒンジ部で連設し、肩先部は該ヒンジ部によって前身方向に回動可能であり、肩先部を前身方向に折り畳むことができるものであって、肩体のヒンジ部近傍及び肩先部がそれぞれ前身方向に湾曲して形成するハンガーを提供するものである。【選択図】    図１
0003132182.tif 000002
【実用新案登録請求の範囲】
【請求項１】
肩体１０と肩先部２とを有するハンガーであって、
肩体１０と肩先部２とをヒンジ部３で連設すると共に、
肩先部２は該ヒンジ部３によって前身方向に回動可能であり、肩先部２を前身方向に折り畳むことができるものであって、
肩体１０のヒンジ部３近傍及び肩先部２がそれぞれ前身方向に湾曲して形成することを特徴とする衣服用ハンガー。
【請求項２】
ヒンジ部３との連設部分の近傍の肩体１０の付け根部分１０３を湾曲して形成したことを特徴とする請求項１記載の衣服用ハンガー。
【請求項３】
肩先部２の上面部２０１及び／又は側面部２０２を幅広に形成したことを特徴とする請求項１又は２のいずれかに記載の衣服用ハンガー。
【請求項４】
肩体１０のヒンジ部３方向の上面部１０２を幅広に形成したことを特徴とする請求項１乃至３のいずれかに記載の衣服用ハンガー。
【請求項５】
ヒンジ部３は、肩体１０と肩先部２とを螺子部３０によって回動自在に螺子止めして形成するものであり、
該螺子部３０を外して肩先部２を着脱自在に交換できることを特徴とする請求項１乃至４のいずれかに記載の衣服用ハンガー。
【請求項６】
両端のそれぞれの肩先部２の下部に連設孔２１０を有し、該連設孔２１０に横杆部４を装着して、肩先部２を開いた状態で固定することを特徴とする請求項１乃至５のいずれかに記載の衣服用ハンガー。
【請求項７】
両肩体１０間の上棹部１０１に吊り下げ部１１の吊り下げ部基部１１０が軸支して回動自在に配設し、
吊り下げ部基部１１０に連設する欠け輪状吊り下げ部１１１を両肩体１０間に回動自在に配設したことを特徴とする請求項１乃至６のいずれかに記載の衣服用ハンガー。
【請求項８】
ヒンジ部３にかえ、軟質樹脂体５で肩体１０と肩先部２とを連設し、
肩先部２が該軟質樹脂体５によって前身方向に回動可能であると共に肩先部２を前身方向に折り畳むことができることを 特徴とする請求項１記載の衣服用ハンガー。
【考案の詳細な説明】
【技術分野】
【０００１】
本考案は、衣服類を掛けるための衣服用ハンガーに関するものであって、より詳細には衣服をハンガーにかけて鞄やバッグ等に収納して持ち運ぶ際に用いる衣服用ハンガーであり、衣服をハンガーにかけた状態で衣服の形状特に肩周辺部分の形状を崩さず折り目をつけることなく折り込んで鞄やバックに収納可能とする衣服用ハンガーに関する。
【背景技術】
【０００２】
従来より、衣服用ハンガーに多種類の形状が多様に用いられているものである。
特に、移動に際して衣服をハンガーにかけた状態で鞄やバック等にこの衣服を収納して運搬することは多用されているものである。
例えば、旅行や移動先での各種行動に対処するための衣服類の運搬、或いは衣服類の他の場所への移動に際して、衣服をハンガーに装着した状態で収納することは、現在極めて多くの場面で行なわれるものである。
【０００３】
この場合、一般的な基体と両側方向に突出形成された肩体とからなる一体成形のハンガーのほか、例えば本体基体の両側に連設形成した肩体を有するハンガーの該肩体を衣服のそれぞれ肩部内側に差し入れて衣服を吊るすハンガーであって、該肩体を折り曲げ可能にしてコンパクトにすると共にセーター類等の衣服の内側肩部に該肩体を入れやすくした構成は特開２００４−２３０１１２（特許文献１）があり、更には携帯に便利なように折り畳み可能なハンガーとしては特開２００５−３４８９９３（特許文献２）がある。
【０００４】
又、ハンガーにかけた状態での衣服の肩部分の形状をきれいに維持して型崩れを防ぐために肩パットを有する構成としては特開平１０−１４６２６０（特許文献３）や実用新案登録第３０３８０７８（特許文献４）がある。
更に、ハンガーの収納時等衣服をかけない段階においてはこの肩パットが邪魔にならずに連設しており、衣服をかける段階で肩パット部分を肩体に簡単に装着できる構成として特開２００５−１６０５５５（特許文献５）が存在する。
【特許文献１】特開２００４−２３０１１２
【特許文献２】特開２００５−３４８９９３
【特許文献３】特開平１０−１４６２６０
【特許文献４】実用新案登録第３０３８０７８号
【特許文献５】特開２００５−１６０５５５
【考案の開示】
【考案が解決しようとする課題】
【０００５】
以上の様に、ハンガーに関しては、持ち運びの際に出来る限りコンパクトにするために各種の折り畳み構造を有しているものがある。
しかし、まず特許文献１及び特許文献２に関して、これは単にハンガーをコンパクトにすることを主目的とするものであって、そのためにハンガーを使用しない収納時においてハンガーの折り畳みを行なうものであって、衣服をかけるべき際にはハンガーを広げた状態での使用が基本となる。
従って、例えばハンガーにかけた状態でのバック等の衣服の収納に際しては、ハンガーの肩体の幅一杯にかけられた状態での収納となる。
逆に小さい収納を目指して、例えば肩体の幅の短いハンガーを用いた場合には衣服の肩部分が皺となってしまい、収納時においてきれいな状態での収納ができないものである。
【０００６】
次にハンガーに衣服をかける段階で、肩パット部分を衣服の大きさに合わせて配置することができる構成である特許文献３及び特許文献４に関しては、ハンガーに衣服をかける段階で衣服の肩部部分周囲の皺を防ぎ綺麗にかけることはできるが、反面ハンガーの幅方向の大きさにおいて衣服をかけた状態でバック等に収納できるものとなる。
したがって前記と同様の収納状態となる。
更に本構成においては、肩パットの肩体に沿った移動を可能とする構成を有することから、肩体に沿って肩パットを基体方向にずらすことができ、このずらしによって幅方向の長さを短くできるが、これによっては衣服の肩部分にまではハンガーが位置しない状態となるものであり、収納時の皺や折れ等が生じてしまうものである。
【０００７】
次に特許文献５に示す構成においても、肩パットを有するハンガーであるにもかかわらずハンガーを使用しない段階においてはコンパクトにすることができ、衣服を吊るす段階において簡単に肩パットを装着できる点においては便利であるが、吊るした状態での鞄やバック等への収納に際しては、このままのハンガーの大きさに拘束されるものであり、コンパクトに収納することはできないものである。
以上のように、バックや鞄等にハンガーに吊るした状態の衣服をしまって収納するに際して、型崩れがなく、皺にならないで綺麗にしまうためには何れも少なくとも衣服の肩幅以上の幅をその収納時に要求されるものであり、コンパクトに収納することは出来ないものであった。
【０００８】
更に単に肩体の部分の短い又は短くできる従来の各種ハンガーでは、衣服の肩部分においてハンガーの肩体が入っておらず、収納時においてこの衣服の肩周辺は不必要に押し曲げられ或いは押し付けられてしまって、皺やよじれの原因となってしまうものである。
本考案は係る点を見事に解決するものであり、特に衣服をハンガーにかけた状態でハンガーをコンパクトにすることができると共に衣服の皺やよじれをなくした状態で鞄やバックなどに収納することのできる衣服用ハンガーの提供を課題とするものである。
【課題を解決するための手段】
【０００９】
係るため、まず請求項１に係る考案は、肩体と肩先部とを有するハンガーであって、
肩体と肩先部とをヒンジ部で連設すると共に、肩先部は該ヒンジ部によって前身方向に回動可能であり、肩先部を前身方向に折りたたむことができるものであって、肩体のヒンジ部近傍及び肩先部がそれぞれ前身方向に湾曲して形成する衣服用ハンガーからなり、係る考案によって前記課題を解決できる。
この場合、請求項２に係る考案のようにヒンジ部との連設部分の近傍の肩体の付け根部分を湾曲して形成した衣服用ハンガーであってもよい。
この他、請求項３に係る考案のように肩先部の上面部及び／又は側面部を幅広に形成した衣服用ハンガーでも、請求項４に係る考案のように肩体のヒンジ部方向の上面部を幅広に形成した衣服用ハンガーでもよい。
【００１０】
これらの場合、請求項５に係る考案のようにヒンジ部は、肩体と肩先部とを螺子部によって回動自在に螺子止めして形成するものであり、該螺子部を外して肩先部を着脱自在に交換できる衣服用ハンガーを 用いることによって更に各種形状の衣服に適応できることとなる。
この他、請求項６に係る考案のように両端のそれぞれの肩先部の下部に連設孔を有し、該連設孔に横杆部を装着して、肩先部を開いた状態で固定する衣服用ハンガーによって、開いた状態の維持ができるものである。
或いは、請求項７に係る考案のように両肩体間の上棹部に吊り下げ部の吊り下げ部基部が軸支して回動自在に配設し、吊り下げ部基部に連設する欠け輪状吊り下げ部を両肩体間に回動自在に配設したものでもよい。
更に、請求項８に係る考案のようにヒンジ部にかえ、軟質樹脂体で肩体と肩先部とを連設し、肩先部を該軟質樹脂体によって前身方向に回動可能でき、肩先部を前身方向に折りたたむことができる衣服用ハンガーであってもよい。
【考案の効果】
【００１１】
以上のように構成することから、まず請求項１に係る考案によって、ヒンジを用いて肩先部を前身方向に折り畳むことができると共に湾曲形状によって、衣服の肩部分周辺部をきれいに折り畳むことができ、皺や折れ込み等を防ぐことができる。
特にこの肩先部の折り畳みによって、ハンガーの両端部分である肩体の先端部の肩先部を折りたため、衣服を吊るした状態でハンガーの幅方向の長さを短くすることができ、この短い状態で鞄やバックに収納することができる。
これによって衣服を鞄やバックに収納して移動する際にハンガーに吊るした衣服をコンパクトにすることができ、コンパクトな鞄やバックに収納できると共により小さい収納範囲によって収納できるものである。
さらにこの際、収納した衣服に皺や折れを生ずることを防ぐことができ、綺麗な収納を可能とするものである。
【００１２】
次に請求項２に係る考案によって、肩先部の折りたたみ時の衣服の俺を 効果的に防げるものである。
更に、請求項３又は請求項４に係る考案によって、ハンガーに掛ける衣服の肩部分の内部周囲をしっかりとハンガーに接することができ、ハンガーの支えを確実にすることができるものであって、収納時のハンガーと衣服とのずれを効果的に防ぐことができる。
請求項５に係る考案によって、衣服の大きさに合わせて簡単に肩先部の交換ができるものであり、衣服に合わせて最も適した大きさのハンガーの提供ができ、収納時のハンガーと衣服との大きさの不適合による不必要なずれ等を防止できる。
【００１３】
又、請求項６に係る考案によれば、ヒンジ部によって肩先部が稼動することから、その可動状態を横杆部によって固定できることから、通常の肩体の固定しているハンガーと同様に肩先部も固定して使用することができる。
更に請求項７に係る考案によれば、吊り下げ部も回動可能としてハンガーの不使用時におけるコンパクトな収納を可能とする。
又、請求項８に係る考案によれば、ヒンジ部に代えて軟質樹脂体でも肩先部の前未方向の折り畳みを可能とするものであり、同様に用いることができる。
【考案を実施するための最良の形態】
【００１４】
図１は、本考案に係る衣服用ハンガーの一例を示す図である。
基体１にはその両側にそれぞれ肩体１０を構成しており、該肩体１０は更にヒンジ部３を介して肩先部２が連設している。  又、該基体１には、吊り下げ部１１を有する。
この様に構成することによって、衣服を該肩体１０にかけてハンガーとして吊るすことができ、特に肩体１０にはヒンジ部３を介して連設する肩先部２とを有するものであり、該肩先部２は衣服の方の袖の付け根部分の内側に入って衣服をきっちりと内側から抑えることができる構成である。
次にこの肩先部２はヒンジ部３を介して前身方向に折りたたむことができるものである。
この場合肩体１０の上棹部１０１は、ヒンジ部方向の上面部１０２を幅広に構成しており衣服の肩の部分をしっかり支えられるように構成している。
【００１５】
更に肩体１０のヒンジ部３付け根部分１０３は前身方向に湾曲して弧状に形成している。
又、このヒンジ部３を介して連設する肩先部２においても前身方向に湾曲して弧状に形成しているものである。
更にこの肩先部２の上面部２０１と側面部２０２も幅広に構成しており、衣服をかけた際に衣服の肩周辺部の位置を幅広の上面部２０１及び側面部２０２でしっかりと支えられる構成としている。
【００１６】
次に図２は、ヒンジ部３をもって肩先部２を前身方向に折り曲げた状態の一例を示す図である。
肩体１０の付け根部分１０３はヒンジ部３にかけて前身方向に湾曲しており、更に肩先部２もヒンジ部３にかけて同様に前身方向に湾曲して形成されていることから、ヒンジを用いて肩先部２を前身方向に折り畳むと、肩体１０のヒンジ部３周辺部分からヒンジ部３を介して肩先部２にわたって弧状に湾曲して折り畳まれることとなる。
この様に構成することによって、肩先部２を開いた状態で衣服をかけた上でヒンジ部３を用いて肩先部２を折り畳むと、ちょうどこの形に添って衣服の肩部分周辺が折り畳まれるものとなる。
【００１７】
更にこの部分において、このハンガーが弧状に湾曲形成されていることから、この弧状に沿って衣服の肩部分が畳まれることから衣服の肩周辺に不必要に皺や折れ等が生ずることがなく、折り畳み形状を綺麗に維持することができる。
更に、この肩先部２は上面部２０１から側面部２０２にかけて幅広構成にしたことから衣服の肩周辺部をしっかりと支えることができ、収納時のずれなどによる折れや捩れを防止でき、ハンガーにかけた状態を綺麗に維持できるものとなる。
【００１８】
図３は、図１に示す本考案にかかるハンガーに衣服Ｊをかけた状態の一例を示す図である。
本図に示すように普通のハンガーと全く遜色なく衣服Ｊをかけることができる。
また、肩体１０の幅広の上面部１０２と共に肩先部３の幅広の上面部２０１及び側面部２０２でよりしっかりと衣服Ｊの肩内部周辺部分を保持することができるものである。
この場合、肩体２及び肩先部２の湾曲形状は、前記各幅広部分で吸収されて衣服Ｊをかけた状態において無理な湾曲部分や折れ部分は一切でないものである。
【００１９】
次に図４は、図３によって衣服Ｊを本考案に係るハンガーに吊るした状態からヒンジ部３を介して肩先部２を前身方向に折り畳んだ状態を示す図である。
この様に折り畳むことによって、衣服Ｊを吊るした状態でコンパクトに折りたたむことができ、 従来肩幅方向の長さは衣服Ｊの肩幅をしっかりと保持した長さでないと収納することができなかったのに対して、この幅の長さを極めて短くすることができ、更にはこの状態でバックや鞄等に収納することができる。
このことは収納場所が小さくてすむことから、衣服の収納バックや鞄をこれに合わせて小さくできることとなり、極めて使い勝手の良いハンガーの提供ができるものである。
更に、この様に肩先部２を折り畳んでも衣服Ｊの肩部にはきっちりとハンガーの肩先部２が入っており、衣服Ｊの内側で衣服の型をきっちりと保持することができており、収納に際して生ずる皺や型崩れ或いは衣服の折れ目等が生ずることをきっちりと防ぐことができる。
【００２０】
図５は、肩体１０と肩先部２との形状及びヒンジ部３の形状の一例を示す図である。
本図に示すように肩体１０のヒンジ部３近傍の付け根部分１０３においては前身方向に湾曲しているものであり、さらにヒンジ部３を介して肩先部２も同様に前身方向に湾曲形成されているものである。
この湾曲の度合いに関しては、肩先部２と肩体１０とが同様のアール角度で形成することが折り畳んだ際に最適な湾曲形状を構成できるが、この一致したアール角度を有する場合に限らずに、異なるアール角度を有するものであってもよい。
更にそれぞれ湾曲は一定のアール角度をもって全て構成したものに限らず、アール角度が徐々に変化するものであっても、或いは一部に傾斜面をもって形成するものであってももちろんよい。
【００２１】
少なくとも肩先部２を折り畳んだ際に衣服が、その折り畳みに応じてストレスなく折り畳める形状或いは折り丸められる形状或いは折り込める形状などであればよい。
尚、本明細書上これらを一律して折り畳めると表現し説明するものである。
更に、湾曲形状及び湾曲に関して、本明細書上湾曲と表現する形状において弧状を基調として構成されたものを意味するが、この他この弧状の湾曲形状のアール角度は全て一律である必要はなく、任意に変化するものであっても、或いは一部に直線形状を有するものであっても、或いは一部に角度をもった折り曲げ部を有するものがあっても、この湾曲形状に含まれるものであり、少なくとも全体形状として湾曲状或いは湾曲となっているものであれば該当するものである。
【００２２】
本図に示すヒンジ部３は、本考案に係るヒンジ部の一例であり、螺子部３０によって肩体１０と肩先部２とを連設しているものである。
従ってヒンジ部３の螺子部３０が螺着することによってヒンジ部３を形成して、回動自在に肩体１０と肩先部２とを広げ又は折り畳むことを可能とする構成である。
従って、該螺子部３０をドライバー等で外すことによって、簡単に肩先部２を取り外せるものである。
これは更に肩先部２に関して、同様の形状で大きさの異なる他の肩先部２を簡単に取り替えられることができるものとなる。
【００２３】
特にハンガーは、それを装着すべき衣服の大きさによって必要な大きさが決まるものであることから、肩先部を簡単に着脱自在とすることによって大きさの異なる肩先部２を必要に応じて簡単に取り替えられるものとなり、最も適した大きさのハンガーを提供でき、ハンガー装着時の衣服の不必要なズレなどを防止してしっかりと衣服を支持できるものとなる。 
なお、肩体１０のヒンジ部方向の上面には幅広に形成した上面部１０２を有する。
更に、肩先部２には同様に幅広の上面部２０１及び側面部２０２を有して、これらでしっかりと衣服の肩内部周辺部分を保持するものである。
尚、肩先部の上面部２０１から側面部２０２にかけて徐々に幅広の程度が高まり、又これらの表面は凸状に湾曲して形成していると共に突出線２０３を横方向に有して構成されている。
これらによって衣服の腕の付け根即ち肩内部周辺をきっちりと押さえて型崩れを防ぐものである。
【００２４】
図６は、図５に示す肩先部２をヒンジ部３によって折り畳んだ状態を示す図である。
この様に湾曲形状をもって折り畳み状態を作り出すことにより、衣服をかけた状態で折り畳んだ際においても、折り畳み部分の衣服の周辺には不必要な皺や折れが出ることはない。
更には、肩先部２の上面部２０１と側面部２０２の幅広構成及び突出線２０３によって衣服の肩周辺を内部からきっちりと支えることができるものである。
図７は、肩先部２の下部の連設孔２１０に横杆部４を装着した一例を示す図である。
肩先部２はヒンジ部３を介して前身方向に回動可能であることから、例えば開いた状態で衣服をかけておくことが必要な際にはこの回動を抑えることが必要であるが、本図に示すように横杆部４を装着することによって、肩先部２を開いた状態で固定できるものである。
【００２５】
図８は、吊り下げ部１１を示す図であり、吊り下げ部１１の吊り下げ部基部１１０がハンガーの上棹部１０１に軸支しており、回動自在に連設している一例を示す図である。
この吊り下げ部基部１１０には欠け輪状吊り下げ部１１１が連設しており、この欠け輪状吊り下げ部１１１がハンガーの内側方向に回転して位置した状態を示す。
この様に欠け輪状吊り下げ部１１１をハンガー上部に突出状態で固定するものではなくハンガー内部方向に回動させられることによって、収納時における不必要に突出部の軽減が図れ、コンパクトな収納を可能とするものである。
【００２６】
図９は、肩体１０と肩先部２とをヒンジ部３に代えて軟質樹脂体５で構成したものである。
この様に構成することによっても肩先部２を前身方向に折り畳むことが可能である。
尚、この様に構成した場合に、例えば折り畳み状態で肩先部２を固定するために着脱自在な肩体１０との係止部を有するものであってもよい。
肩先部２の折り畳み状態を必要に応じて固定し、或いは必要に応じて解除することをこの係止部で行なえるものとなる。
【図面の簡単な説明】
【００２７】
【図１】本考案に係るハンガーの一例を示す図
【図２】図１に示すハンガーの肩先部を 折り畳んだ状態の一例を示す図
【図３】図１に示すハンガーに衣服をかけた状態の一例を示す図
【図４】図３に示すハンガーの肩先部を前身方向に折り畳んだ一例を示す図
【図５】本考案に係るハンガーの肩体とヒンジ部と肩先部との連設状態の一例を示す一部拡大図
【図６】図５に示すハンガーの肩先部をヒンジ部により折りたたんだ状態の一例を示す一部拡大図
【図７】本考案に係るハンガーの横杆部を装着した一例を示す図
【図８】本考案に係るハンガーの吊り下げ部の収納状態の一例を示す図
【図９】本考案に係るハンガーの他の一例を示す図
【符号の説明】
【００２８】
１        ハンガー基体
１０      肩体
１０１    上棹部  
１０２    上面部
１０３    付け根部分
１１      吊り下げ部
１１０    吊り下げ基部  
１１１    欠け輪状吊り下げ部
２        肩先部
２０１    上面部
２０２    側面部
２０３    突出線
２１０    連設孔
３        ヒンジ部
３０      螺子部
４        横杆部
５        軟質樹脂体
Ｊ        衣服
【図１】
0003132182.tif 000003
【図２】
0003132182.tif 000004
【図３】
0003132182.tif 000005
【図４】
0003132182.tif 000006
【図５】
0003132182.tif 000007
【図６】
0003132182.tif 000008
【図７】
0003132182.tif 000009
【図８】
0003132182.tif 000010
【図９】
0003132182.tif 000011